(57)【特許請求の範囲】
【請求項１】
背板の左右端縁から第１，第２折線を介し第１，第２綴じ板を折曲可能に立ち上げて写真台紙の基端部を受け入れるコ形溝を形成する背綴じカバーと；該背綴じカバーに受容された写真台紙の一側面を覆うフロントカバーと；同他側面を覆うバックカバーとから成り；上記フロントカバーの基端縁に第３折線を介して折曲可能な第３綴じ板を設けると共に；上記バックカバーの基端縁に第４折線を介して折曲可能な第４綴じ板を設け；上記背綴じカバーとフロントカバーとバックカバーとを紙製板にて形成すると共に；上記第１乃至第４折線を上記背綴じカバーとフロントカバーとバックカバーを形成する上記紙製板の内表面に刻設した刻設溝によって形成し；上記背綴じカバーの左側に上記フロントカバーを配置して背綴じカバーの第１綴じ板とフロントカバーの第３綴じ板間に第１小間隔を設定すると共に；上記背綴じカバーの右側に上記バックカバーを配置して背綴じカバーの第２綴じ板とバックカバーの第４綴じ板間に第２小間隔を設定し；更に上記第１，第２小間隔を介して配置した背綴じカバーとフロントカバーとバックカバーの三者の外表面にカバー外表面連結シートを貼付して同三者の連結カバーを形成すると共に；上記カバー外表面連結シートの貼付により上記第１，第２小間隔を架橋し、該カバー外表面連結シートの架橋部にて第１小間隔と第２小間隔に沿う第１曲げヒンジと第２曲げヒンジを形成し；上記カバー外表面連結シートの周縁部を上記背綴じカバーとフロントカバーとバックカバーの天小口と地小口の内縁部へ折り返し貼付すると共に上記フロントカバーとバックカバーの前小口の内縁部へ折り返し貼付して枠縁を形成し；上記天小口と地小口に形成した枠縁は上記第１小間隔と第２小間隔の両端の内面側を上記外面側の架橋部と重畳して架橋し；上記第１綴じ板と第３綴じ板を上記第１曲げヒンジにおいてカバー外表面連結シートの上記架橋部を屈撓させつつ第１，第３折線を介し立ち上げて合掌状態にすると共に、上記第２綴じ板と第４綴じ板を上記第２曲げヒンジにおいてカバー外表面連結シートの上記架橋部を屈撓させつつ第２，第４折線を介し立ち上げて合掌状態にし；該合掌状態にした上記第１乃至第４綴じ板に貫設した第１乃至第４綴じ孔と写真台紙の基端部に貫設した第５綴じ孔とを整合し連通せしめ、該連通せる第１乃至第５綴じ孔に綴じ具を挿入し上記写真台紙の綴じ込みを行う構成としたことを特徴とするアルバム。
【請求項２】
上記第１，第２小間隔を介して配置した背綴じカバーとフロントカバーとバックカバーの三者の内表面にカバー内表面連結シートを貼付して上記第１小間隔と第２小間隔に沿う上記第１曲げヒンジと第２曲げヒンジを形成したことを特徴とする請求項１記載のアルバム。
【発明の詳細な説明】
【０００１】
【発明の属する技術分野】
本発明は写真台紙を綴じ込むアルバムに関する。
【０００２】
【従来の技術】
本発明と対比される従来のアルバムは図１，図２に示すように、アルバムの天小口と地小口方向へ細長い背板１の左右端縁から第１，第２折線２，３を介し第１，第２綴じ板４，５を立ち上げて写真台紙６の基端部を受け入れる同コ形溝７を形成する背綴じカバーＡと、該背綴じカバーＡに受容された写真台紙６の一側面を覆うフロントカバーＢと、同他側面を覆うバックカバーＣとから成り、三者Ａ，Ｂ，Ｃが互いに分離した三部品構造となっており、三者Ａ，Ｂ，Ｃの夫々に表装シートを施している。
【０００３】
そして上記フロントカバーＢの基端縁に第３折線９を介して折曲可能な第３綴じ板１０を設けると共に、バックカバーＣの基端縁に第４折線１２を介して折曲可能な第４綴じ板１３を設け、上記第１綴じ板４と第３綴じ板１０を立ち上げて重ね合わせ状態にすると共に、上記第２綴じ板５と第４綴じ板１３を立ち上げて重ね合わせ状態にし、上記第１乃至第４綴じ板４，５，１０，１３に貫設した第１乃至第４綴じ孔１４，１５，１６，１７と写真台紙６の基端部に貫設した第５綴じ孔１８とを連通せしめ、該連通せる第１乃至第５綴じ孔１４，１５，１６，１７，１８に綴じ具１９を挿入し上記写真台紙６の綴じ込みを行う構成を有している。
【０００４】
【発明が解決しようとする課題】
而して上記従来のアルバムは背綴じカバーＡと、フロントカバーＢと、バックカバーＣの三者が分離せる三部品組立構造であり、大量のカバーＡ，Ｂ，Ｃを個別に梱包運送し、個別に備蓄し、個別に管理する負担が強いられる。
【０００５】
更にはユーザーにおける組立に際し、カバーＡ，Ｂ，Ｃの位置合わせや綴じ孔の整合と綴じ具の挿入作業に手間取る煩雑さを招いている。
【０００６】
又上記背綴じカバーＡと、フロントカバーＢと、バックカバーＣの三者の夫々に表装シートを施さなければならず、生産性の低下とコストアップを招来している。
【０００７】
【課題を解決するための手段】
本発明は上記問題点を適切に解決するアルバムを提供するものである。このアルバムは上記背綴じカバーと、フロントカバーと、バックカバーの三者を構成要素として有しつつ、上記背綴じカバーの左側に第１小間隔を存置して上記フロントカバーを配置すると共に、上記背綴じカバーの右側に第２小間隔を存置して上記バックカバーを配置する。
【０００８】
更に上記第１，第２小間隔を介して配置したカバー三者の外表面にカバー外表面連結シートを貼付して同三者の連結カバーを形成すると共に、上記カバー外表面連結シートの貼付により上記第１小間隔と第２小間隔に沿う第１曲げヒンジと第２曲げヒンジを形成する。
【０００９】
そして上記第１綴じ板と第３綴じ板を上記第１曲げヒンジを屈撓させつつ立ち上げて合掌状態にすると共に、上記第２綴じ板と第４綴じ板を第２曲げヒンジを屈撓させつつ立ち上げて合掌状態にし、上記第１乃至第４綴じ板に貫設した第１乃至第４綴じ孔と写真台紙の基端部に貫設した第５綴じ孔とを連通せしめ、該連通せる第１乃至第５綴じ孔に綴じ具を挿入し上記写真台紙の綴じ込みを行う構成のアルバムである。
【００１０】
上記第１，第２小間隔を介して配置した背綴じカバーとフロントカバーとバックカバーの三者の内表面にカバー内表面連結シートを貼付して、上記内外の連結シートと上記第１小間隔と第２小間隔とが協働して両小間隔に沿う上記第１曲げヒンジと第２曲げヒンジを形成する。
【００１１】
上記背綴じカバーとフロントカバーとバックカバーとは紙製板から成り、上記第１乃至第４折線は上記背綴じカバーとフロントカバーとバックカバーを形成する上記紙製板の内表面に夫々刻設した溝によって形成する。
【００１２】
上記アルバムは背綴じカバーとフロントカバーとバックカバーとが実質１枚の連結カバー構造となり、単部品として運搬、備蓄、管理が行え、合理化が図れる。
【００１３】
加えてユーザーにおいては、組立に際し、該連結カバーの折曲作業のみにて三者の位置合わせや綴じ孔の整合が直ちに得られ、綴じ具を挿入し写真台帳を綴じ込む作業が著しく容易となる。
【００１４】
又上記背綴じカバーとフロントカバーとバックカバーの三者の夫々に表装シートを施さなければならない問題を解消し、生産性を向上しコストダウンを達成できる。
【００１５】
【発明の実施の形態】
以下本発明の実施の形態を図３乃至図８に基づいて説明する。
図３乃至図５に示すように、アルバムの天小口と地小口方向に細長い背板１の左右端縁から互いに平行な第１，第２折線２，３を介して同第１，第２綴じ板４，５を立ち上げて写真台紙６の基端部を受け入れる同コ形溝７を形成する背綴じカバーＡと、該背綴じカバーＡのコ形溝７に受容された写真台紙６の一側面を覆うフロントカバーＢと、同他側面を覆うバックカバーＣとから成る。
【００１６】
上記背綴じカバーＡとフロントカバーＢとバックカバーＣは何れも矩形の紙製板から成る。
【００１７】
上記フロントカバーＢの基端縁に第３折線９を介して折曲可能な第３綴じ板１０を設けると共に、上記バックカバーＣの基端縁に第４折線１２を介して折曲可能な第４綴じ板１３を設ける。
【００１８】
上記背綴じカバーＡの左側に上記フロントカバーＢを配置し、背綴じカバーＡの第１綴じ板４とフロントカバーＢの第３綴じ板１０間に第１小間隔２０を設定すると共に、上記背綴じカバーＡの右側に上記バックカバーＣを配置し、背綴じカバーＡの第２綴じ板５とバックカバーＣの第４綴じ板１３間に第２小間隔２１を設定する。
【００１９】
更に図３，図４に示すように、上記第１，第２小間隔を２０，２１を介して配置した背綴じカバーＡとフロントカバーＢとバックカバーＣの三者の外表面にカバー外表面連結シート２２を貼付して同三者Ａ，Ｂ，Ｃの連結カバーＤを形成すると共に、上記カバー外表面連結シート２２の貼付により上記第１小間隔２０と第２小間隔２１を架橋し、各小間隔２０，２１に沿う第１曲げヒンジ２３と第２曲げヒンジ２４を形成する。
【００２０】
上記カバー外表面連結シート２２は上記第１，第２小間隔２０，２１に架橋されると共に、全ての折線２，３，９，１２を形成する刻設溝２７を覆い、ヒンジ強度を補強する。
【００２１】
又上記連結シート２２はその周縁部を背綴じカバーＡとフロントカバーＢとバックカバーＣの天小口と地小口の内縁部へ折り返して貼付すると共に、フロントカバーＢとバックカバーＣの前小口の内縁部へ折り返して貼付し、枠縁２５を形成する。
【００２２】
上記背綴じカバーＡとフロントカバーＢとバックカバーＣの天小口と地小口に形成した枠縁２５は上記第１小間隔２０と第２小間隔２１の両端に架橋される。従って第１，第２小間隔２０，２１はその両端においてその内面側と外面側を連結シート２２にて重畳して架橋され、ヒンジ強度が強化される。
【００２３】
上記カバー外表面連結シート２２は布製の装飾シートの内面を接着性の良好なシートでバックアップしたものを用いることができる。よって連結シート２２は表装シートを兼ねる。
【００２４】
そして図５に示すように、上記曲げヒンジ２３においてカバー外表面連結シート２２の架橋部を屈撓させつつ、第１折線２と第３折線９を介して第１綴じ板４と第３綴じ板１０を内面方向へ立ち上げ上記第１曲げヒンジ２３を介して合掌状態にする。
【００２５】
同様に、上記第２曲げヒンジ２４においてカバー外表面連結シート２２の架橋部を屈撓させつつ、第２折線３と第４折線１２を介して第２綴じ板５と第４綴じ板１３を内面方向へ立ち上げ上記第２曲げヒンジ２４を介して合掌状態にする。
【００２６】
上記第１乃至第４綴じ板４，５，１０，１３を上記合掌状態に折曲することにより、各綴じ板に貫設した第１乃至第４綴じ孔１４，１５，１６，１７と写真台紙６の基端部に貫設した第５綴じ孔１８とを連通せしめ、該連通せる第１乃至第５綴じ孔１４，１５，１６，１７，１８に綴じ具１９を挿入し上記写真台紙６の綴じ込みを行う。
【００２７】
上記綴じ具１９は例えば既知の螺合ピンを用いる。この螺合ピンは内周面に雌ねじを刻設した筒形有頭ピン２８を上記第１乃至第５綴じ孔１４，１５，１６，１７，１８に貫挿し、先端に有頭雄ねじ２９を螺合して写真台紙６の綴じ込みを行う。該綴じ込み後、フロントカバーＢとバックカバーＣは第３，第４折線９，１２を介して見開きと閉本が可能である。
【００２８】
前記のように、上記背綴じカバーＡとフロントカバーＢとバックカバーＣとを紙製板にて形成し、上記第１乃至第４折線２，３，９，１２を上記背綴じカバーＡとフロントカバーＢとバックカバーＣを形成する上記紙製板の内表面に刻設した刻設溝２７によって形成する。
【００２９】
好ましくは図４Ｂ，Ｃに示すように、上記刻設溝２７を逆台形にし、内面側において広く、底面側において狭い溝形態とし、溝底部の板厚残存部で曲げヒンジを形成する。殊に第３，第４折線９，１２を形成する刻設溝２７は隣接して二条刻設し、フロントカバーＢとバックカバーＣの閉じ合わせ、即ち写真台紙６に対する閉本を容易にする。
【００３０】
他例として図６，図７，図８に示すように、上記第１，第２小間隔２０，２１を介して配置した背綴じカバーＡとフロントカバーＢとバックカバーＣの三者の内表面に表装シートを兼ねるカバー内表面連結シート２６を貼付して上記第１小間隔２０と第２小間隔２１に沿う上記第１曲げヒンジ２３と第２曲げヒンジ２４を形成する。
【００３１】
上記カバー内表面連結シート２６は上記第１，第２小間隔２０，２１を覆って架橋されると共に、全ての折線２，３，９，１２を形成する刻設溝２７を覆い、ヒンジ強度を補強する。
【００３２】
そして図７に示すように、上記曲げヒンジ２３において内外の連結シート２２，２６の架橋部を屈撓させつつ、第１折線２と第３折線９を介して第１綴じ板４と第３綴じ板１０を内面方向へ立ち上げ上記第１曲げヒンジ２３を介して合掌状態にする。
【００３３】
同様に、上記第２曲げヒンジ２４において内外の連結シート２２，２６の架橋部を屈撓させつつ、第２折線３と第４折線１２を介して第２綴じ板５と第４綴じ板１３を内面方向へ立ち上げ上記第２曲げヒンジ２４を介して合掌状態にする。
【００３４】
前記と同様、上記第１乃至第４綴じ板４，５，１０，１３を上記合掌状態に折曲することにより、各綴じ板に貫設した第１乃至第４綴じ孔１４，１５，１６，１７と写真台紙６の基端部に貫設した第５綴じ孔１８とを連通せしめ、該連通せる第１乃至第５綴じ孔１４，１５，１６，１７，１８に綴じ具１９を挿入し上記写真台紙６の綴じ込みを行う。
【００３５】
図３乃至図５に示す第１実施形態においては、上記カバー外表面連結シート２２と上記第１小間隔２０と第２小間隔２１とが協働して両小間隔２０，２１に沿う上記第１曲げヒンジ２３と第２曲げヒンジ２４を形成する。
【００３６】
他方図６，図７，図８に示す第２実施形態においては、上記内外の連結シート２２，２６と上記第１小間隔２０と第２小間隔２１とが協働して両小間隔２０，２１に沿う上記第１曲げヒンジ２３と第２曲げヒンジ２４を形成する。
【００３７】
上記連結シート２２，２６は上記第１，第２小間隔２０，２１に架橋され、該架橋部において自由なる屈撓性を有する。好ましくは図８に示すように、該架橋部において両連結シート２２，２６を互いに非接着状態にし、この屈撓性を富有せしめる。
【００３８】
上記第３綴じ板１０を有するフロントカバーＢと上記第４綴じ板１３を有するバックカバーＣとは、上記第１，第２曲げヒンジ２３，２４により３６０度回動可能（折り曲げ可能）である。
【００３９】
上記第１乃至第４折線２，３，９，１２（従って刻設溝２７）と、第１，第２曲げヒンジ２３，２４（従って第１，第２小間隔２０，２１）はアルバムの天小口と地小口間に延び、互いに平行である。
【００４０】
【発明の効果】
本発明によれば、背綴じカバーとフロントカバーとバックカバーとが実質１枚の連結カバー構造となり、単部品として運搬、備蓄、管理が行え、合理化が図れる。
【００４１】
加えてユーザーにおいては、組立に際し、該連結カバーの折曲作業のみにて三者の位置合わせや綴じ孔の整合が直ちに得られ、綴じ具を挿入し写真台帳を綴じ込む作業が著しく容易となる。
【００４２】
又上記背綴じカバーとフロントカバーとバックカバーの三者の夫々に外装シートを施さなければならない問題を解消し、生産性を向上しコストダウンを達成できる。
【００４３】
又本発明によれば、連結シートと第１，第２小間隔とが協働して、フロントカバーとバックカバーの見開きと閉本のための充分な回動角を確保できると共に、同見開きと閉本が円滑に行える。
【図面の簡単な説明】
【図１】従来のアルバムを分解して示す平面図。
【図２】同アルバムを組立状態を以って示す断面図。
【図３】本発明の実施形態を示すアルバムの展開平面図。
【図４】Ａは上記アルバムの展開断面図、Ｂは図３におけるＡ−Ａ線断面図、Ｃは同Ｂ−Ｂ線断面図。
【図５】上記アルバムを写真台紙の綴じ込み可能に折曲した状態を以って示す断面図。
【図６】本発明の他の実施形態を示すアルバムの展開断面図。
【図７】上記アルバムを写真台紙の綴じ込み可能に折曲した状態を以って示す断面図。
【図８】第１曲げヒンジと第２曲げヒンジを断面して示す拡大斜視図。
【符号の説明】
Ａ…背綴じカバー、Ｂ…フロントカバー、Ｃ…バックカバー、Ｄ…連結カバー、１…背板、２…第１折線、３…第２折線、４…第１綴じ板、５…第２綴じ板、６…写真台紙、７…コ形溝、９…第３折線、１０…第３綴じ板、１２…第４折線、１３…第４綴じ板、１４…第１綴じ孔、１５…第２綴じ孔、１６…第３綴じ孔、１７…第４綴じ孔、１８…第５綴じ孔、１９…綴じ具、２０…第１小間隔、２１…第２小間隔、２２…カバー外表面連結シート、２３…第１曲げヒンジ、２４…第２曲げヒンジ、２５…枠縁、２６…カバー内表面連結シート、２７…刻設溝、２８…有頭ピン、２９…有頭雄ねじ
【図１】
0003602093.tif 000002
【図２】
0003602093.tif 000003
【図３】
0003602093.tif 000004
【図４】
0003602093.tif 000005
【図５】
0003602093.tif 000006
【図６】
0003602093.tif 000007
【図７】
0003602093.tif 000008
【図８】
0003602093.tif 000009